(57)【特許請求の範囲】
【請求項１】
印刷物に対して背表紙付き製本処理を行なう機能を備える画像形成装置を制御する制御装置であって、
印刷用紙を特定する情報と、前記印刷用紙の厚みとの対応関係を示す第１の対応情報を記憶する第１記憶手段と、
前記画像形成装置から、前記画像形成装置に実際に格納されている印刷用紙を特定する情報を取得する取得手段と、
前記取得手段で前記画像形成装置から取得された、前記画像形成装置に実際に格納されている印刷用紙を特定する情報の中から、画像データを印刷するための印刷用紙の選択、および前記印刷用紙での印刷枚数を受付ける受付手段と、
前記受付手段で受付けた、選択された前記印刷用紙の厚みを、前記第１の対応情報に基づいて特定する特定手段と、
前記特定手段で特定された前記印刷用紙の厚みと前記受付手段で受付けた印刷枚数とを乗じた値に基づいて、前記画像データを前記印刷用紙に印刷して得られる印刷物に対して表紙付き製本処理を行なう際の、背表紙幅を算出する算出手段と、
前記算出手段で算出された前記背表紙幅を含む制御信号を前記画像形成装置に対して出力する出力手段とを備える、制御装置。
【請求項２】
前記受付手段は、前記画像データを印刷するための印刷用紙として第１の印刷用紙と第２の印刷用紙との選択、および前記第１の印刷用紙での印刷枚数と前記第２の印刷用紙での印刷枚数を受付け、
前記算出手段は、前記第１の印刷用紙の厚みと前記第１の印刷用紙での印刷枚数とを乗じた値と、前記第２の印刷用紙の厚みと前記第２の印刷用紙での印刷枚数とを乗じた値とに基づいて、前記背表紙幅を算出する、請求項１に記載の制御装置。
【請求項３】
前記第１の対応情報と、前記取得手段で取得された前記画像形成装置に実際に格納されている印刷用紙を特定する情報とから、前記画像形成装置に実際に格納されている印刷用紙について、前記印刷用紙を特定する情報と前記印刷用紙の厚みとの対応関係を示す第２の対応情報を生成する生成手段をさらに備え、
前記特定手段は、前記選択された印刷用紙の厚みを、前記第２の対応情報から読出す読出手段を含む、請求項１または２に記載の制御装置。
【請求項４】
前記生成手段は、複数の前記画像形成装置の各々について前記第２の対応情報を生成し、
前記複数の画像形成装置の中から、前記表紙付き製本処理を実行させる画像形成装置を指定する指定手段をさらに備え、
前記読出手段は、前記複数の画像形成装置の各々についての前記第２の対応情報のうち、前記指定手段で指定された画像形成装置についての第２の対応情報から、前記選択された印刷用紙の厚みを読み出す、請求項３に記載の制御装置。
【請求項５】
前記第２の対応情報を記憶する第２記憶手段をさらに含み、
前記読出手段は、前記第２記憶手段に記憶されている前記第２の対応情報から、前記選択された印刷用紙の厚みを読み出す、請求項３または４に記載の制御装置。
【請求項６】
前記特定手段は、前記選択された印刷用紙の厚みを、前記第１の対応情報から読出す読出手段を含む、請求項１または２に記載の制御装置。
【請求項７】
画像形成装置と、前記画像形成装置を制御する制御装置とを含むシステムであって、
前記画像形成装置は、
格納されている印刷用紙を特定する情報を記憶する記憶手段と、
前記制御装置からの制御信号に従って、印刷物に対して背表紙付き製本処理を行なう後処理手段とを備え、
前記制御手段は、
印刷用紙を特定する情報と、前記印刷用紙の厚みとの対応関係を示す第１の対応情報を記憶する第１記憶手段と、
前記画像形成装置の記憶手段に記憶されている、前記画像形成装置に実際に格納されている印刷用紙を特定する情報を取得する取得手段と、
前記取得手段で取得された、前記画像形成装置に実際に格納されている印刷用紙を特定する情報の中から、画像データを印刷するための印刷用紙の選択、および前記印刷用紙での印刷枚数を受付ける受付手段と、
前記受付手段で受付けた、選択された前記印刷用紙の厚みを、前記第１の対応情報に基づいて特定する特定手段と、
前記特定手段で特定された前記印刷用紙の厚みと前記受付手段で受付けた印刷枚数とを乗じた値に基づいて、前記画像データを前記印刷用紙に印刷して得られる印刷物に対して表紙付き製本処理を行なう際の、背表紙幅を算出する算出手段と、
前記算出手段で算出された前記背表紙幅を含む前記制御信号を前記画像形成装置に対して出力する出力手段とを備える、背表紙幅演算システム。
【請求項８】
印刷物に対して背表紙付き製本処理を行なう際に用いる表紙の幅に含まれる、背表紙幅の演算を、コンピュータに実行させるプログラムであって、
前記コンピュータは、印刷用紙を特定する情報と、前記印刷用紙の厚みとの対応関係を示す第１の対応情報を記憶する記憶手段を備え、
前記製本処理を行なう画像形成装置に実際に格納されている印刷用紙を特定する情報を取得するステップと、
前記画像形成装置に実際に格納されている印刷用紙を特定する情報の中から、画像データを印刷するための印刷用紙の選択、および前記印刷用紙での印刷枚数を受付けるステップと、
前記記憶手段から、少なくとも前記選択された印刷用紙の厚みを読み出すステップと、
前記選択された印刷用紙の厚みを、前記第１の対応情報に基づいて特定するステップと、
特定された前記印刷用紙の厚みと受付けた印刷枚数とを乗じた値に基づいて、前記画像データを前記印刷用紙に印刷して得られる印刷物に対して表紙付き製本処理を行なう際の、背表紙幅を算出するステップとを実行させる、背表紙幅演算プログラム。
【請求項９】
印刷物に対して背表紙付き製本処理を行なう機能を備える画像形成装置を制御する制御装置における、背表紙幅の演算方法であって、
前記制御装置は、印刷用紙を特定する情報と、前記印刷用紙の厚みとの対応関係を示す第１の対応情報を記憶する記憶手段を備え、
前記製本処理を行なう画像形成装置に実際に格納されている印刷用紙を特定する情報を取得するステップと、
前記画像形成装置に実際に格納されている印刷用紙を特定する情報の中から、画像データを印刷するための印刷用紙の選択、および前記印刷用紙での印刷枚数を受付けるステップと、
前記記憶手段から、少なくとも前記選択された印刷用紙の厚みを読み出すステップと、
前記選択された印刷用紙の厚みを、前記第１の対応情報に基づいて特定するステップと、
特定された前記印刷用紙の厚みと受付けた印刷枚数とを乗じた値に基づいて、前記画像データを前記印刷用紙に印刷して得られる印刷物に対して表紙付き製本処理を行なう際の、背表紙幅を算出するステップとを備える、背表紙幅演算方法。
【発明の詳細な説明】
【技術分野】
【０００１】
この発明は制御装置、背表紙幅演算システム、背表紙幅演算方法、および背表紙幅演算プログラムに関し、特に、表紙付き製本を行なうために必要な背表紙の幅を演算する制御装置、背表紙幅演算システム、背表紙幅演算方法、および背表紙幅演算プログラムに関する。
【背景技術】
【０００２】
画像形成装置には、出力された印刷用紙である印刷物に対する後処理として、パンチやステープルなどの後処理の他に、複数枚の印刷物の一辺を糊付けし、表紙となる１枚の用紙でくるんで製本する機能がある。この製本は「くるみ製本」と呼ばれる。
【０００３】
くるみ製本に用いられる表紙は、製本後の表面側に位置する表表紙と、同裏面側に位置する裏表紙と、上述の糊付けされた辺で構成される背側に位置する背表紙とから構成される。以降では、説明の簡便のために、印刷物の上述の糊付けされる辺の方向を縦方向とし、糊付けされる辺に直交する辺の方向を横方向とする。言い換えると、製本後の印刷物の背側の辺および小口側の辺を印刷物の縦方向の辺、天地側の辺を印刷物の横方向の辺とする。同様に、表紙の、印刷物の縦方向の辺と平行する辺を表紙の縦方向の辺、印刷物の横方向の辺と平行する辺を表紙の横方向の辺とする。
【０００４】
くるみ製本の機能を有する画像形成装置で、さらに、表紙も印刷する場合がある。この場合、表紙を印刷するために用いる用紙のサイズ、つまり用紙の縦横の長さは、重要なファクタの１つである。
【０００５】
表紙の縦方向の辺の長さは、くるみ製本に供される印刷物の縦方向の辺の長さで決定される。たとえば、くるみ製本に供される印刷物の縦方向の辺の長さと同じ、または所定の長さを加える、などで決定される。表紙の横方向の辺の長さ（つまり幅）は、表表紙部分の横の辺の長さ（表表示幅と称する）、裏表紙部分の横の辺の長さ（裏表示幅と称する）、および背表紙部分の横の辺の長さ（背表示幅と称する）の合計で決定される。
【０００６】
表表示幅、裏表示幅、および背表示幅のうち、表表示幅および裏表示幅は、いずれも、くるみ製本に供される印刷物の横方向の辺の長さで決定される。たとえば、くるみ製本に供される印刷物の横方向の辺の長さと同じ、または所定の長さを加える、などで決定される。しかしながら、背表示幅は、くるみ製本に供される印刷物の厚みに依存する。したがって、背表示幅を得るためには、くるみ製本に供される印刷物の厚みを正確に計算する必要がある。
【０００７】
背表示幅を算出する方法として、特開２００６−１７２３０６号公報（特許文献１）は、予め印刷用紙の「タイプ」と印刷用紙の厚みとの対応を記憶しておき、ユーザの設定した印刷用紙の「タイプ」から印刷用紙の厚みを得、ユーザの設定した印刷用紙の枚数と得られた厚みとを乗じて背表紙幅を算出する情報処理装置を開示している。
【特許文献１】特開２００６−１７２３０６号公報
【発明の開示】
【発明が解決しようとする課題】
【０００８】
しかしながら、特許文献１に開示されている背表紙の算出方法では、用いられる印刷用紙の厚みは、予め印刷用紙の「タイプ」と対応付けて情報処理装置に記憶されている値であり、実際に印刷装置に格納されている印刷用紙の厚みではない。そのため、情報処理装置で指定した印刷用紙と異なるタイプの印刷用紙が印刷装置に格納されている場合には、くるみ製本に供される印刷物の厚みは計算された背表紙幅と異なってしまう。
【０００９】
また、くるみ製本に供される印刷物の印刷用紙の種類が複数である場合、つまりくるみ製本に供される印刷物を印刷させるためのジョブが複数の種類の印刷用紙で構成される場合には、特許文献１に開示されている背表示の算出方法では背表紙幅が得られない。
【００１０】
くるみ製本に用いる表紙の幅、特に背表紙幅が正確に計算されていないと、次のような問題がある。
【００１１】
第１の問題として、印刷された表紙を用いてくるみ製本を行なうと、表紙の幅が、くるみ製本する印刷物の表表紙側の幅と裏表紙側の幅と厚みとの和と対応しない。そのため、印刷された表紙が適正な位置からずれて美しい仕上がりにならない、という問題がある。
【００１２】
くるみ製本に用いる表紙を画像形成装置で印刷する場合には、ユーザは、演算で得られた印刷用紙の幅に一致するように画像データを生成し、画像形成装置で表紙印刷用の画像データとして指定する。たとえば、表表紙幅２００ｍｍ、背表紙幅２０ｍｍ、および裏表示幅２００ｍｍが演算され、ユーザが、この演算結果に基づいて幅４２０ｍｍを想定した表示印刷用の画像データを生成したとする。図８（Ａ）に示されるように、実際の背表紙幅が演算で得られた背表紙幅２０ｍｍと一致していた場合、実際の背表紙幅に基づいた幅の印刷用紙に上述の表紙印刷用の画像データが印刷されると、図８（Ｂ）のように、印刷用紙の幅と画像データの幅とが一致した状態で表紙が印刷される。しかしながら、図９（Ａ）で１０ｍｍと示されるように、実際の背表紙幅が演算で得られた背表紙幅２０ｍｍよりも小さい場合、実際の背表紙幅に基づいた幅の印刷用紙に上述の表紙印刷用の画像データが印刷されると、図９（Ｂ）でＡ部分に示されるように、印刷用紙の幅が画像データの幅よりも小さくなるために、画像データの一部が欠損した状態で表紙が印刷される。逆に、図１０（Ａ）で３０ｍｍと示されるように、実際の背表紙幅が演算で得られた背表紙幅２０ｍｍよりも大きい場合、実際の背表紙幅に基づいた幅の印刷用紙に上述の表紙印刷用の画像データが印刷されると、図１０（Ｂ）でＢ部分に示されるように、印刷用紙の幅が画像データの幅よりも大きくなるために、印刷用紙上に余白がある状態で表紙が印刷される。つまり、第２の問題として、表紙印刷用の画像データが印刷用紙に適切に印刷されなくなる、という問題がある。
【００１３】
本発明はこのような問題に鑑みてなされたものであって、背表紙の幅を正確に計算することのできる制御装置、背表紙幅演算システム、背表紙幅演算方法、および背表紙幅演算プログラムを提供することを目的とする。
【課題を解決するための手段】
【００１４】
上記目的を達成するために、本発明のある局面に従うと、制御装置は、印刷物に対して背表紙付き製本処理を行なう機能を備える画像形成装置を制御する制御装置であって、印刷用紙を特定する情報と、印刷用紙の厚みとの対応関係を示す第１の対応情報を記憶する第１記憶手段と、画像形成装置から、当該画像形成装置に実際に格納されている印刷用紙を特定する情報を取得する取得手段と、取得手段で画像形成装置から取得された、当該画像形成装置に実際に格納されている印刷用紙を特定する情報の中から、画像データを印刷するための印刷用紙の選択、および選択された印刷用紙での印刷枚数を受付ける受付手段と、受付手段で受付けた、選択された印刷用紙の厚みを、第１の対応情報に基づいて特定する特定手段と、特定手段で特定された印刷用紙の厚みと受付手段で受付けた印刷枚数とを乗じた値に基づいて、上記画像データを印刷用紙に印刷して得られる印刷物に対して表紙付き製本処理を行なう際の、背表紙幅を算出する算出手段と、算出手段で算出された背表紙幅を含む制御信号を画像形成装置に対して出力する出力手段とを備える。
【００１５】
好ましくは、受付手段は、画像データを印刷するための印刷用紙として第１の印刷用紙と第２の印刷用紙との選択、および第１の印刷用紙での印刷枚数と第２の印刷用紙での印刷枚数を受付け、算出手段は、第１の印刷用紙の厚みと第１の印刷用紙での印刷枚数とを乗じた値と、第２の印刷用紙の厚みと第２の印刷用紙での印刷枚数とを乗じた値とに基づいて、背表紙幅を算出する。
【００１６】
好ましくは、制御装置は、第１の対応情報と、取得手段で取得された画像形成装置に実際に格納されている印刷用紙を特定する情報とから、画像形成装置に実際に格納されている印刷用紙について、印刷用紙を特定する情報と印刷用紙の厚みとの対応関係を示す第２の対応情報を生成する生成手段をさらに備え、特定手段は、選択された印刷用紙の厚みを、第２の対応情報から読出す読出手段を含む。
【００１７】
より好ましくは、生成手段は、複数の画像形成装置の各々について第２の対応情報を生成し、制御装置は、複数の画像形成装置の中から、表紙付き製本処理を実行させる画像形成装置を指定する指定手段をさらに備え、読出手段は、複数の画像形成装置の各々についての第２の対応情報のうち、指定手段で指定された画像形成装置についての第２の対応情報から、選択された印刷用紙の厚みを読み出す。
【００１８】
好ましくは、制御装置は、第２の対応情報を記憶する第２記憶手段をさらに含み、読出手段は、第２記憶手段に記憶されている第２の対応情報から、選択された印刷用紙の厚みを読み出す。
【００１９】
好ましくは、特定手段は、選択された印刷用紙の厚みを、第１の対応情報から読出す読出手段を含む。
【００２０】
本発明の他の局面に従うと、背表紙幅演算システムは、画像形成装置と画像形成装置を制御する制御装置とを含むシステムであって、画像形成装置は、格納されている印刷用紙を特定する情報を記憶する記憶手段と、制御装置からの制御信号に従って、印刷物に対して背表紙付き製本処理を行なう後処理手段とを備え、制御手段は、印刷用紙を特定する情報と、印刷用紙の厚みとの対応関係を示す第１の対応情報を記憶する第１記憶手段と、画像形成装置の記憶手段に記憶されている、画像形成装置に実際に格納されている印刷用紙を特定する情報を取得する取得手段と、取得手段で取得された、画像形成装置に実際に格納されている印刷用紙を特定する情報の中から、画像データを印刷するための印刷用紙の選択、および選択された印刷用紙での印刷枚数を受付ける受付手段と、受付手段で受付けた、選択された印刷用紙の厚みを、第１の対応情報に基づいて特定する特定手段と、記特定手段で特定された印刷用紙の厚みと受付手段で受付けた印刷枚数とを乗じた値に基づいて、上記画像データを印刷用紙に印刷して得られる印刷物に対して表紙付き製本処理を行なう際の、背表紙幅を算出する算出手段と、算出手段で算出された背表紙幅を含む制御信号を画像形成装置に対して出力する出力手段とを備える。
【００２１】
本発明のさらに他の局面に従うと、背表紙幅演算方法は、印刷物に対して背表紙付き製本処理を行なう際に用いる表紙の幅に含まれる、背表紙幅の演算を、コンピュータに実行させるプログラムであって、コンピュータは、印刷用紙を特定する情報と、印刷用紙の厚みとの対応関係を示す第１の対応情報を記憶する記憶手段を備え、製本処理を行なう画像形成装置に実際に格納されている印刷用紙を特定する情報を取得するステップと、画像形成装置に実際に格納されている印刷用紙を特定する情報の中から、画像データを印刷するための印刷用紙の選択、および選択された印刷用紙での印刷枚数を受付けるステップと、記憶手段から、少なくとも選択された印刷用紙の厚みを読み出すステップと、選択された印刷用紙の厚みを、第１の対応情報に基づいて特定するステップと、特定された印刷用紙の厚みと受付けた印刷枚数とを乗じた値に基づいて、画像データを印刷用紙に印刷して得られる印刷物に対して表紙付き製本処理を行なう際の、背表紙幅を算出するステップとを実行させる。
【００２２】
本発明のさらに他の局面に従うと、背表紙幅演算プログラムは、印刷物に対して背表紙付き製本処理を行なう機能を備える画像形成装置を制御する制御装置における、背表紙幅の演算方法であって、制御装置は、印刷用紙を特定する情報と、印刷用紙の厚みとの対応関係を示す第１の対応情報を記憶する記憶手段を備え、製本処理を行なう画像形成装置に実際に格納されている印刷用紙を特定する情報を取得するステップと、画像形成装置に実際に格納されている印刷用紙を特定する情報の中から、画像データを印刷するための印刷用紙の選択、および選択された印刷用紙での印刷枚数を受付けるステップと、記憶手段から、少なくとも選択された印刷用紙の厚みを読み出すステップと、選択された印刷用紙の厚みを、第１の対応情報に基づいて特定するステップと、特定された印刷用紙の厚みと受付けた印刷枚数とを乗じた値に基づいて、上記画像データを印刷用紙に印刷して得られる印刷物に対して表紙付き製本処理を行なう際の、背表紙幅を算出するステップとを備える。
【発明の効果】
【００２３】
本発明によると、画像形成装置において印刷物に対するくるみ製本に用いる背表紙の幅を正確に計算することができるため、くるみ製本を美しい仕上がりにすることができる。
【発明を実施するための最良の形態】
【００２４】
以下に、図面を参照しつつ、本発明の実施の形態について説明する。以下の説明では、同一の部品および構成要素には同一の符号を付してある。それらの名称および機能も同じである。
【００２５】
図１は、本発明の実施の形態にかかるシステム構成の具体例、および該システムに含まれる各装置のハードウェア構成の具体例を示すブロック図である。図１を参照して、本実施の形態にかかるシステムには、画像形成装置の具体例としてのＭＦＰ３と、画像形成装置を制御する制御装置の具体例としてのパーソナルコンピュータ（以下、ＰＣ）１とが含まれ、これらがネットワーク２で接続されている。ネットワーク２は、専用回線等の有線のネットワークであってもよいし、無線通信を概念的に表わしたものであってもよい。また、該システムには複数の画像形成装置が含まれていてもよく、図１においてＭＦＰ３は、１つまたは複数の画像形成装置のいずれも表わしているものとする。
【００２６】
さらに図１を参照して、制御装置としてＰＣ１は、一般的なＰＣで構成されていてもよい。そのハードウェア構成の具体例としては、ＣＰＵ（Central Processing Unit）１１、ＲＡＭ（Random Access Memory）１３、ＲＯＭ（Read Only Memory）１５、ＨＤＤ（Hard Disk Drive）１７、表示部１６、入力部１８、およびプリンタコントローラ１９が含まれる。これらは、バス１０を介して相互に通信を行なう。
【００２７】
また、図１を参照して、画像形成装置としてのＭＦＰ３のハードウェア構成の具体例としては、ＣＰＵ３１、ＲＡＭ３２、ＲＯＭ３３、ＨＤＤ３４、入出力部３５、イメージリーダ部３６、プリンタ部３７、後処理部３８、および操作パネル３９が含まれる。これらは、バス３０を介して相互に通信を行なう。
【００２８】
ＰＣ１の入力部１８は、キーボードやマウスなどの入力装置を含み、これら入力装置がユーザによって操作されることに対応した操作信号を、バス１０を介してＣＰＵ１１に入力する。ＣＰＵ１１は、上記操作信号に応じてＲＡＭ１３やＲＯＭ１５などの記憶装置に記憶されているプログラムを読み出して実行し、バス１０を介して制御信号を出力することで、ＰＣ１全体を制御する。ＲＡＭ１３、ＲＯＭ１５、およびＨＤＤ１７である記憶装置には、上記プログラムの他、各種情報が記憶されている。
【００２９】
表示部１６はディスプレイなどの表示装置を含み、上記制御信号に従って表示装置に所定の情報を表示させるための処理を行ない、表示装置に上記情報を表示させる。プリンタコントローラ１９は、上記制御信号に従ってＭＦＰ３を制御するための処理を行ない、制御信号をネットワーク２を介してＭＦＰ３に対して出力する。また、上記処理に必要な情報を、ネットワーク２を介してＭＦＰ３から取得する。
【００３０】
ＭＦＰ３の入出力部３５はネットワーク２に接続されて、上述の制御信号をＰＣ１から受け取り、ＣＰＵ３１に入力する。そして、要求された情報を、上記制御信号に応じて取得したＣＰＵ３１から受け取り、ＰＣ１に対して出力する。
【００３１】
ＣＰＵ３１は、操作パネル３９からの操作信号、およびまたは上述の入出力部３５から入力される信号に従って、ＲＡＭ３２やＲＯＭ３３などの記憶装置に記憶されているプログラムを読み出して実行し、バス３０を介して制御信号を出力することで、ＭＦＰ３全体を制御する。ＲＡＭ３２、ＲＯＭ３３、およびＨＤＤ３５である記憶装置には、上記プログラムの他、各種情報が記憶されている。
【００３２】
イメージリーダ部３６は、上記制御信号に従って、図示しない原稿台にセットされた原稿をスキャンして画像データを得る。プリンタ部３７は、上記制御信号に従って、指定された画像データを印刷用紙に印刷するための処理を行なう。操作パネル３９は、タッチ式のパネルなどが該当し、上記制御信号に従って画面を表示する。また、ユーザからの操作を受付けて、対応する操作信号をバス３０を介してＣＰＵ３１に入力する。後処理部３８は、上記制御信号に従って、プリンタ部３７で画像データが印刷された印刷用紙に対して後処理を実行する。後処理部３８は、指定された位置に穴をあけるパンチ処理や、ステープル針で複数の印刷用紙を綴じるステープル処理などを行なうものが挙げられる。本発明においては、後処理部３８は、特に、後処理として表紙付き製本処理を行なうものとする。具体的には、表紙付き製本処理は、複数枚の印刷後の印刷用紙を規定の方向として重ね、その一辺を糊付けし、表紙となる１枚の用紙でくるんで製本する処理を指す。この製本は「くるみ製本」と呼ばれる。なお、くるみ製本処理および、およびくるみ製本処理を行なうための後処理部３８の具体的な装置構成については、本発明において特定の処理方法および特定の装置構成に限定されない。
【００３３】
ＲＡＭ３２、ＲＯＭ３３、およびＨＤＤ３５である記憶装置に記憶されている情報には、当該ＭＦＰ３の、図示されない用紙格納部に格納されている、印刷用紙の情報が含まれる。具体的には、図２に示されるように、格納されている用紙の名称、種類、坪量、色、および穴の有無についての、用紙ごとの情報が記憶されている。この用紙格納部に格納されている印刷用紙の情報を、以下の説明においては「ペーパーカタログ」と称する。ペーパーカタログは、たとえば当該システムの管理者等、ユーザが操作パネル３９等を操作することによって、ＲＡＭ３２またはＨＤＤ３４の所定領域に登録される。また、特定のユーザによる操作や、特定の操作によって、記憶されているペーパーカタログの内容が変更されてもよい。なお、ペーパーカタログに含まれる情報は、上述の、用紙の名称、種類、坪量、色、および穴の有無についての情報に限定されず、その他の情報が含まれていてもよい。また、必ずしもこれらすべての情報が含まれていなくてもよい。少なくとも、印刷用紙を特定する情報が含まれていればよい。印刷用紙を特定する情報としては、具体例としては、印刷用紙の種類と坪量と印刷用紙に関する情報のうちの種類と坪量との組み合わせが挙げられる。印刷用紙を特定する情報を、当該印刷用紙の「タイプ」と称する。
【００３４】
ＲＡＭ１３、ＲＯＭ１５、およびＨＤＤ１７である記憶装置に記憶されている情報には、印刷用紙に関する情報が含まれる。具体的には、図３に示されるように、印刷用紙についての、種類、坪量、および厚みについての、用紙ごとの情報が記憶されている。言い換えると、印刷用紙のタイプごとの厚みが記憶されている。この、印刷用紙についての情報を、以降の説明においては「用紙情報」と称する。用紙情報は、予めＭＦＰ３の上記記憶装置の所定領域に記憶されている。用紙情報は、特定のユーザによる操作や、特定の操作によって、変更や追加されてもよい。なお、用紙情報に含まれる情報は、上述の、接続されているＭＦＰ３で使用される可能性のある印刷用紙の種類、坪量、および厚みについての情報に限定されない。少なくともこれらの情報を含み、これら情報に加えて、その他の情報が含まれていてもよい。なお、図３に示される例では、印刷用紙の各種類について、坪量１g/m^2ごとに厚みが記憶されている。しかしながら、必ずしも坪量１g/m^2ごとに厚みが記憶されていなくてもよく、たとえば坪量３g/m^2ごとなど、厚みが記憶される坪量の間隔は１g/m^2よりも大きくてもよい。この場合、後述する処理において、厚みが記憶されていない坪量の印刷用紙について厚みの情報が必要な場合には、ＣＰＵ１１は、当該坪量の前後の坪量について記憶されている厚みの情報を用いて、必要な厚みを算出し、補間することができる。
【００３５】
上述の補間方法の一例について具体例を挙げて説明する。たとえば、ペーパーカタログに用紙種類「Plain」で坪量６８．５g/m^2の用紙の情報が記憶されているとする。記憶装置に記憶されている情報が図３のものである場合、上述の用紙についての情報が記憶装置には記憶されていない。このとき、ＣＰＵ１１は、図３に示される記憶されている情報の中から、坪量６８g/m^2の用紙の厚み０．０８５mmと、坪量６９g/m^2の用紙の厚み０．０８６mmとを読み出して、以下の演算を行なって、上述の用紙種類「Plain」で坪量６８．５g/m^2の用紙の厚み０．０８５５mmを得る：
（０．０８６−０．０８５）／（６９−６８）＝０．００１
用紙の厚み＝０．０８５＋（０．００１×０．５）＝０．０８５５mm。
【００３６】
なお、上の例は平均を用いた補間方法であるが、補間方法は平均を用いる方法には限定されず、たとえば最小二乗近似など、他の方法であってもよい。
【００３７】
図４は、ＰＣ１のプリンタコントローラ１９の構成の具体例を示すブロック図である。図４に示される各構成は、ＣＰＵ１１がＲＡＭ１３等の記憶装置に記憶されているプログラムを読込んで実行しすることで出力された制御信号に従って、プリンタコントローラ１９が動作することで、主にプリンタコントローラ１９に構成されるものであるが、少なくとも一部が、たとえばＣＰＵ１１など、ＰＣ１の他のハードウェア構成によって構成されてもよい。
【００３８】
図４を参照して、プリンタコントローラ１９は、取得部１０１、第１読出部１０３、生成部１０５、提示受付部１０７、第２読出部１０８、および演算部１１１を含んで構成される。
【００３９】
取得部１１１は、ネットワーク２を介してＭＦＰ３から、ＭＦＰ３の記憶装置の所定領域に記憶されているペーパーカタログから印刷用紙のタイプを示す情報を取得し、第１読出部１０３および生成部１０５に入力する。第１読出部１０３は、ＲＡＭ１３などの記憶装置に記憶されている用紙情報から、取得部１０１から入力された情報に対応する情報を読み出し、生成部１０５に入力する。生成部１０５は、取得部１０１から入力された情報と、第１読出部１０３から入力された情報とに基づいて、ＭＦＰ３の用紙格納部に格納されている印刷用紙についての情報を生成し、ＲＡＭ１３などの記憶装置の所定領域に記憶する。さらに、提示受付部１０８に入力してもよい。生成部１０５で生成される情報については、後に具体例を挙げて詳述する。
【００４０】
提示受付部１０７は、記憶装置の所定領域から上述の情報を読み出し、または生成部１０５から上述の情報の入力を受付け、当該情報に基づいた操作画面を表示部１６に表示させるための処理を行なう。また、上記操作画面が表示部１６に表示されているタイミングで入力部１８が操作されることで入力部１８から入力される操作信号を受付けて、操作された内容を示す信号を第２読出部１０８および演算部１１１に入力する。
【００４１】
第２読出部１０８は、に生成部１０５で生成され記憶装置の所定領域に記憶されている上述の情報から、提示受付部１００から入力された上記信号に対応する情報を読み出し、演算部１１１に入力する。演算部１１１は、提示受付部１０７から入力された信号および第２読出部１０８から入力された情報を用いて演算を行なう。
【００４２】
演算部１１１での演算は、ＭＦＰ３の後処理部３８で行なわれる後処理であるくるみ製本に用いられる表紙を、ＭＦＰ３で印刷するために必要な印刷用紙のサイズを算出するための演算が含まれる。先述のように、くるみ製本に用いられる表紙は、製本後の上面側に位置する表表紙と、同裏面側に位置する裏表紙と、上述の糊付けされた辺で構成される背側に位置する背表紙とから構成される。以降では、説明の簡便のために、印刷物の上述の糊付けされる辺の方向を縦方向とし、糊付けされる辺に直交する辺の方向を横方向とする。言い換えると、製本後の印刷物の背側の辺および小口側の辺を印刷物の縦方向の辺、天地側の辺を印刷物の横方向の辺とする。同様に、表紙の、印刷物の縦方向の辺と平行する辺を表紙の縦方向の辺、印刷物の横方向の辺と平行する辺を表紙の横方向の辺とする。
【００４３】
表紙を印刷するために必要な印刷用紙のサイズのうちの、表紙の横方向の辺の長さ、つまり幅は、表表紙部分の横の辺の長さ（表表示幅と称する）、裏表紙部分の横の辺の長さ（裏表示幅と称する）、および背表紙部分の横の辺の長さ（背表示幅と称する）の合計で決定される。表表示幅、裏表示幅、および背表示幅のうち、表表示幅および裏表示幅は、いずれも、くるみ製本に供される印刷物の横方向の辺の長さで決定される。たとえば、くるみ製本に供される印刷物の横方向の辺の長さと同じ、または所定の長さを加える、などで決定される。従って、演算部１１１は、印刷物の横方向の辺の長さを用いて、表表示幅および裏表示幅を算出することができる。
【００４４】
さらに演算部１１１は、提示受付部１０７から入力された信号および第２読出部１０８から入力された情報を用いて、背表示幅を算出するための演算を行なう。そこで、以下に、ＰＣ１での処理の流れの具体例を示し、特に、演算部１１１で行なう背表示幅を算出するための演算を具体的に説明する。
【００４５】
図５は、ＰＣ１での処理の流れの具体例を示すフローチャートである。図５のフローチャートに示される処理は、ＣＰＵ１１がＲＯＭ１５などに記憶されているプログラムを読み出して図１に示されるＰＣ１の各部を制御することによって図４に示される各構成が機能することで実現される。図５のフローチャートに示される処理は、入力部１８によって、ＭＦＰに対してくるみ製本を行なわせるための操作がなされたときに実行される。
【００４６】
図５を参照して、ステップＳ１０１でプリンタコントローラ１９は、入力部１８からの操作信号に基づいて、くるみ製本を行なわせるＭＦＰの選択を受付ける。該システム構成に複数のＭＦＰが含まれている場合、ステップＳ１０１では、上記複数のＭＦＰの中から対象とするＭＦＰ３の選択を受付ける。
【００４７】
ステップＳ１０３で取得部１０１は、ステップＳ１０１で選択されたＭＦＰ３にアクセスし、記憶されているペーパーカタログから、ＭＦＰ３に格納されている印刷用紙のタイプを示す情報、つまり、格納されている印刷用紙の種類と坪量との情報の組み合わせを取得する。ＭＦＰ３に図２に示されるペーパーカタログが記憶されている場合、用紙種類「Ｐｌａｉｎ」、「ＣｏａｔｅｄＡ」、「Ｔｈｉｃｋ１」、および「Ｔｈｉｎ」である印刷用紙のタイプを示す情報が取得される。
【００４８】
そして、ステップＳ１０５で、第１読出部１０３は、ＲＡＭ１３などの記憶装置に記憶されている用紙情報から、ステップＳ１０３でＭＦＰ３から読み出された上述のタイプに該当する印刷用紙の厚みを読み出す。ＰＣ１に図３に示される用紙情報が記憶されており、ステップＳ１０３で上述の情報が取得された場合、用紙種類「Ｐｌａｉｎ」、「ＣｏａｔｅｄＡ」、「Ｔｈｉｃｋ１」、および「Ｔｈｉｎ」である印刷用紙の厚みとして、各々、０．０８５mm、０．１２１mm、０．２５５mm、および０．０７５mmが読み出される。
【００４９】
ステップＳ１０７で生成部１０５は、ステップＳ１０３でくるみ製本を行なうＭＦＰ３のペーパーカタログから読み出された紙のタイプ、およびステップＳ１０５で自身に記憶されている用紙情報から読み出された厚みから、くるみ製本を行なうＭＦＰ３に格納されている印刷用紙について、紙のタイプと紙の厚みとの対応関係を示す情報を生成する。ここでは、具体的に、対応関係を示す情報として紙のタイプと紙の厚みとの対応関係を示すテーブルを生成するものとする。上述の例の場合、ステップＳ１０７では図６に示される対応テーブルが生成される。
【００５０】
ステップＳ１０９で提示受付部１０７は、ステップＳ１０７で生成された情報に基づいて、ステップＳ１０１で選択されたＭＦＰ３でくるみ製本に供される印刷物を印刷するための用紙として選択可能な用紙を、表示部１６に表示させる。上述の例の場合の、ステップＳ１０９で表示部１６で表示される画面の具体例を図７に示す。上述の例では、ステップＳ１０１で選択されたＭＦＰ３には、用紙種類「Ｐｌａｉｎ」、「ＣｏａｔｅｄＡ」、「Ｔｈｉｃｋ１」、および「Ｔｈｉｎ」である印刷用紙が格納されている。また、ＭＦＰ３には、同じ用紙種類であって異なる厚みの用紙が格納されていない。そのため、用紙種類で用紙タイプを表わすことができる。図７の例では、ＭＦＰ３に格納されている用紙の種類「Ｐｌａｉｎ」、「ＣｏａｔｅｄＡ」、「Ｔｈｉｃｋ１」、および「Ｔｈｉｎ」が、印刷する用紙のタイプの選択肢として提示されている。選択されたＭＦＰに、同じ用紙種類であって異なる厚みの用紙が格納されている場合には、用紙のタイプとして、用紙種類と坪量との情報が、印刷する用紙のタイプの選択肢として提示されることが好ましい。さらに、ステップＳ１０９では、図７の画面において、各用紙タイプについて、印刷する枚数の入力も受付ける。
【００５１】
ステップＳ１１３〜Ｓ１２３で、演算部１１１は、ステップＳ１１１で選択された用紙タイプおよび枚数で画像データを印刷して得られる印刷物に対してくるみ製本する際の、背表紙幅を算出するための演算を行なう。具体的に、演算部１１１は、ステップＳ１１３でまず、選択された用紙タイプの数を示す変数ｎを０に初期化した後、ステップＳ１１５で変数ｎを１インクリメントして、ステップＳ１１７で第２読出部１０８が、該変数に対応した用紙タイプの厚みＴｎを、ステップＳ１０７で生成されて記憶装置の所定領域に記憶されている、紙のタイプと紙の厚みとの対応関係を示す情報から読み出す。そして、ステップＳ１０９で演算部１１１は、ステップＳ１１７で読み出された厚みＴｎをステップＳ１１１で入力された、該変数に対応した用紙タイプでの印刷枚数Ｐｎに乗じて、すべての印刷物のうちの、該変数に対応した用紙タイプで印刷して得られる印刷物の分についての背表紙幅Ｄｎを得る。ステップＳ１１５〜Ｓ１１９がステップＳ１１１で選択された用紙タイプの数ｍだけ繰り返されることで（ステップＳ１２１でＹＥＳ）、ステップＳ１１１で選択された各用紙タイプについて、該用紙タイプで印刷して得られる印刷物の分についての背表紙幅Ｄｎが得られる。
【００５２】
ステップＳ１２３で演算部１１１は、以上の処理で得られたすべての背表紙幅ＤｎをステップＳ１１１で選択された用紙タイプの数ｍの分加え、背表紙幅Ｄを得る。
【００５３】
上の、Ｓ１１３〜Ｓ１２３での処理について、上述の例を用いて具体的に説明する。
ここで、くるみ製本に供される印刷物をＭＦＰ３で印刷させるためのジョブが、次のような紙のタイプで構成されているものとする：
１枚目（Slip sheet）の用紙のタイプ…Ｐｌａｉｎ、
２〜１０１枚目（Normal sheet）の用紙のタイプ…ＣｏａｔｅｄＡ、
１０２枚目（Slip sheet）の用紙のタイプ…Ｐｌａｉｎ、
１０３〜１３２枚目（Normal sheet）の用紙のタイプ…Ｐｌａｉｎ。
【００５４】
この場合、上記ステップＳ１１１では、ユーザ操作に従って、印刷する用紙のタイプとして、紙の種類「Ｐｌａｉｎ」，坪量「６８g/m^2」である用紙のタイプ（ｍ＝１）と、紙の種類「ＣｏａｔｅｄＡ」，坪量「８１g/m^2」である用紙のタイプ（ｍ＝２）との選択を受付け、さらに印刷枚数として、前者の用紙タイプについては３２ページ（＝１＋１＋３０）と、後者の用紙タイプについては１００ページとの入力を受付ける。
【００５５】
このとき、種類「Ｐｌａｉｎ」で表わされる上述の前者の用紙タイプ（ｍ＝１）については、上記ステップＳ１１７で、図６に示された対応テーブルより、厚みＴ１が０．０８５mmと読み出され、上記ステップＳ１１９で、当該用紙での背表紙幅Ｄ１が、演算式Ｄ１＝０．０８５×３２mmによって得られる。
【００５６】
また、種類「ＣｏａｔｅｄＡ」で表わされる上述の用紙タイプ（ｍ＝２）については、上記ステップＳ１１７で、図６に示された対応テーブルより、厚みが０．１２１mmと読み出され、上記ステップＳ１１９で、当該用紙での背表紙幅Ｄ２が、演算式Ｄ２＝０．１２１×１００mmによって得られる。
【００５７】
従って、ステップＳ１２３で、背表紙幅Ｄが、演算式Ｄ＝Ｄ１＋Ｄ２によって、１４．８２mmと算出される。
【００５８】
以上のように、ＰＣ１はＭＦＰ３のペーパーカタログを読み出して、印刷されるＭＦＰ３に実際の格納され、実際に印刷に用いられる用紙の厚みを用いて背表紙幅を算出する。これにより、実際の印刷物の厚みにより近い背表紙幅を計算することができる。また、ＰＣ１に記憶されている用紙情報のみを用いて印刷する用紙の選択を受付ける処理に比べて、効率的に背表紙幅を計算することができる。
【００５９】
なお、上の例では、ユーザからくるみ製本を行なわせるための操作がなされたときに、上述のステップＳ１０１からの処理が実行される処理が示されている。しかしながら、好ましくは、上記ステップＳ１０１〜Ｓ１２３の処理のうち、ステップＳ１０３〜Ｓ１０７の処理は、上述のタイミングとは異なるタイミングで、予め実行されて、ＰＣ１の記憶装置の所定の領域に格納されておくものとする。異なるタイミングとしては、たとえば、該システムが構築されたタイミングや、該システムに新たにＭＦＰが接続されたタイミングや、所定の時間間隔や、ＭＦＰにおいてペーパーカタログに変更が生じたタイミングなどが挙げられる。より好ましくは、該システムに複数のＭＦＰが含まれる場合、各ＭＦＰについて図６に示されるような対応テーブルが生成されて予めＰＣ１の記憶装置の所定の領域に格納されている。そして、上記ステップＳ１０１で印刷させるＭＦＰが選択されると、ステップＳ１０９で提示受付部１０７は、記憶されている対応テーブルのうち、選択されたＭＦＰについての対応テーブルを参照して、図７に示されたような画面を表示部１６に表示させる。このようにすることで、図６に示されるような対応テーブルを生成しない場合と比較すると、選択された印刷用紙の厚みを効率的に読み出すことができ、背表紙幅の演算を効率的に行なうことができる。
【００６０】
または、他の例としては、上記ステップＳ１０７の処理は行なわれなくてもよい。この場合、プリンタコントローラ１９に生成部１０５が含まれていなくてもよい。また、第１読出部１０３および第２読出部１０８は、１つの読出部とされてもよい。このときの具体的な処理について説明する。すなわち、上記ステップＳ１０９で提示受付部１０７が、上記ステップＳ１０３で選択されたＭＦＰのペーパーカタログから取得された用紙タイプを、くるみ製本に供される印刷物を印刷するための用紙として選択可能な用紙として表示部１６に選択肢を表示させる。そして、ステップＳ１１７で、第１読出部１０３および第２読出部１０８で構成される読出部は、ＰＣ１の記憶装置に記憶されている用紙情報の中から、ステップＳ１１１で選択された用紙タイプに対応する印刷用紙の厚みを読出す。このようにすることで、図６に示された対応テーブルを作成する処理を省くことができる。また、記憶装置に、対応テーブルを記憶するために必要な記憶領域を確保する必要がない。
【００６１】
先述のように、表表示幅および裏表示幅は、いずれも、くるみ製本に供される印刷物の横方向の辺の長さで決定される。ここで、印刷用紙の横方向の辺の長さについても、予め、図３に示された用紙情報のように、ＰＣ１に記憶されているものとする。そのため、演算部１１１は、ステップＳ１１１と同様にして選択される用紙サイズに基づいて、印刷物の横方向の辺の長さを読出し、それに基づいて表表示幅および裏表示幅を得ることができる。同様にして、演算部１１１は、表紙の横方向の辺の長さも得ることができる。そして、先述の演算で得られた背表紙幅を表表示幅および裏表示幅に加えることで、表紙の幅を算出することができる。つまり、以上の演算で、演算部１１１は、表紙の縦横の辺の長さ、すなわち表紙のサイズを算出することができる。
【００６２】
このようにして演算部１１１によって表紙のサイズが算出されると、プリンタコントローラ１９は、当該サイズで表紙を印刷させるための制御信号をネットワーク２を介してＭＦＰ３に対して出力する。これにより、ＭＦＰ３では、当該ＭＦＰ３に実際に格納され、印刷に用いられる印刷用紙の厚みに基づいて算出された背表紙幅を含んだ表紙のサイズが指示される。従って、ＭＦＰ３で、ＰＣ１からの制御信号に従ったサイズの紙を表紙としてくるみ製本が行なわれることで、表紙のサイズとくるみ製本をする印刷物のサイズとが適合する。さらに、ＭＦＰ３でＰＣ１からの制御信号に従ったサイズの印刷用紙に表紙とする画像データが印刷されることで、図９（Ｂ）や図１０（Ｃ）に示されたような、画像データのサイズと印刷用紙のサイズとの不一致を防ぐことができる。さらに、くるみ製本に供される印刷物を印刷させるためのジョブが複数種類の印刷用紙から構成される場合であっても、正確に背表紙幅を算出することができる。この結果、該システムでは、くるみ製本を美しい仕上がりとすることができる。
【００６３】
以上の例では、画像形成装置であるＭＦＰに接続された制御装置であるＰＣにおいて上述の演算が行なわれるものとしている。そして、図１には、制御装置が画像形成装置とは異なる装置であることが示されている。しかしながら、制御装置のすべてが画像形成装置に含まれてもよいし、制御装置の少なくとも一部が画像形成装置に含まれていてもよい。その場合、ＭＦＰ３のＣＰＵ３１がＲＯＭ３３等の記憶装置に記憶されるプログラムを読み出して実行することで、ＣＰＵ３１などに、図４に示された構成の少なくとも一部が構成される。また、複数の画像形成装置が該システムに含まれる場合、複数の画像形成装置のうちの１つに制御装置が含まれて、制御装置を含む画像形成装置が、制御装置を含まない他の画像形成装置の制御を行なう構成であってもよい。これらいずれの場合であっても、図４に示された構成で上述の演算が実現される。
【００６４】
もちろん、ＰＣ１の構成は図１に示された構成に限定されず、その他の構成を含んでいてもよい。また、制御装置はＰＣに限定されず、その他の装置であってもよいし、他の装置の一部で実現されるものであってもよい。同様に、ＭＦＰ３の構成は図１に示された構成に限定されず、その他の構成を含んでいてもよい。また、画像形成装置はＭＦＰに限定されず、その他の装置であってもよい。上の説明では、画像形成装置においてくるみ製本の表紙を印刷するものとされている。しかしながら、画像形成装置においては表紙の印刷は必須ではなく、少なくともくるみ製本の表紙とする用紙を、制御装置で制御されることで特定すればよい。つまり、画像形成装置と、後処理を行なう装置とが別の装置で構成されて、制御装置が、両装置を制御するような構成であってもよい。さらにその場合には、制御装置の少なくとも一部が後処理を行なう装置に含まれる構成であってもよい。
【００６５】
さらに、上述の演算をコンピュータに実行させるためのプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６６】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００６７】
また、本発明にかかるプログラムは他のプログラムの一部に組込まれて提供されるものであってもよい。他のプログラムとしては、たとえば、パーソナルコンピュータにインストールされているプリンタドライバなどが挙げられる。その場合にも、プログラム自体には上記他のプログラムに含まれるモジュールが含まれず、上記他のプログラムと協働して処理が実行される。このような他のプログラムに組込まれたプログラムも、本発明にかかるプログラムに含まれ得る。
【００６８】
提供されるプログラム製品は、ハードディスクなどのプログラム格納部にインストールされて実行される。なお、プログラム製品は、プログラム自体と、プログラムが記録された記録媒体とを含む。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７０】
【図１】本発明の実施の形態にかかるシステム構成の具体例、および該システムに含まれる各装置のハードウェア構成の具体例を示すブロック図である。
【図２】図１のシステムに含まれるＭＦＰに格納されている用紙ごとの情報である、ペーパーカタログの具体例を示す図である。
【図３】図１のシステムに含まれるＰＣに記憶されている、印刷用紙に関する情報の具体例を示す図である。
【図４】ＰＣのプリンタコントローラの構成の具体例を示すブロック図である。
【図５】ＰＣでの処理の流れの具体例を示すフローチャートである。
【図６】図５の処理のステップＳ１０７で生成される対応テーブルの具体例を示す図である。
【図７】図５の処理のステップＳ１０９でＰＣに表示される画面の具体例を示す図である。
【図８】計算された表紙の幅を説明する図、および表紙を印刷するための印刷用紙に表紙印刷用の画像データを当てはめたときの両者の関係を説明する図である。
【図９】計算された表紙の幅を説明する図、および表紙を印刷するための印刷用紙に表紙印刷用の画像データを当てはめたときの両者の関係を説明する図である。
【図１０】計算された表紙の幅を説明する図、および表紙を印刷するための印刷用紙に表紙印刷用の画像データを当てはめたときの両者の関係を説明する図である。
【符号の説明】
【００７１】
１  ＰＣ、２  ネットワーク、３  ＭＦＰ、１１，３１  ＣＰＵ、１３，３２  ＲＡＭ、１５，３３  ＲＯＭ、１６  表示部、１７，３４  ＨＤＤ、１８  入力部、１９  プリンタコントローラ、３５  入出力部、３６  イメージリーダ部、３７  プリンタ部、３８  後処理部、３９  操作パネル、１０１  取得部、１０３  第１読出部、１０５  生成部、１０７  提示受付部、１０８  第２読出部、１１１  演算部。
【図１】
0004502045.tif 000002
【図２】
0004502045.tif 000003
【図３】
0004502045.tif 000004
【図４】
0004502045.tif 000005
【図５】
0004502045.tif 000006
【図６】
0004502045.tif 000007
【図７】
0004502045.tif 000008
【図８】
0004502045.tif 000009
【図９】
0004502045.tif 000010
【図１０】
0004502045.tif 000011